(57)【要約】【課題】  容易に制御することができ、離れた位置から通信を行うことができる照明装置及びこれを用いたネットワークシステムを提供する。【解決手段】  ネットワークシステム２は、携帯端末３、サーバ４、及び第１〜第６ＬＥＤ照明装置１１〜１６を備える。各ＬＥＤ照明装置１１〜１６では、切換スイッチ４９が操作されると、第１〜第６ＬＥＤ３１〜３６のオン／オフが切り換えられる。携帯端末３では、第１の絵画２１の近くに配置されたＬＥＤ照明装置１１の第１ＬＥＤ３１から照射された第１白色光５１の波形を検出し、検出波形データをサーバ４に送る。サーバ４では、入力された検出波形データと一致する検索用波形データを検索し、メモリ９に記憶された各種のデータの中から、一致した検索用波形データのＩＤに応じた絵画紹介データを検索し、携帯端末３に送る。携帯端末３は、受信した絵画紹介データをタッチパネル６２に表示する。【選択図】  図２
2017010801.tif 000002
【特許請求の範囲】
【請求項１】
演色性の異なる白色光を照射する複数のＬＥＤと、
前記複数のＬＥＤの発光を個別に制御する制御手段と、
を備えることを特徴とする照明装置。
【請求項２】
請求項１に記載の照明装置において、
前記複数のＬＥＤは、それぞれ青色又は赤色の波長がピークとなる白色光を照射することを特徴とする照明装置。
【請求項３】
請求項１又は２に記載の照明装置と、
前記ＬＥＤ照明装置から照射された白色光の波形を検出する検出手段、外部機器と通信する第１通信手段、及びデータを表示する表示手段を備える通信機器と、
前記第１通信手段と通信する第２通信手段、前記通信機器から送られる前記検出手段での検出波形に基づいて白色光の種類を判別する判別手段、演色性の異なる複数種類の白色光の各々に対応した複数の表示用データを記憶した記憶手段、及び前記複数の表示用データの中から前記判別手段での判別結果に応じた表示用データを検索するデータ検索手段を有し、前記データ検索手段で検索された表示用データを前記通信機器に送信するサーバと、を備えることを特徴とするネットワークシステム。
【発明の詳細な説明】
【技術分野】
【０００１】
本発明は、ＬＥＤを用いて照明する照明装置及びこれを用いたネットワークシステムに関する。
【背景技術】
【０００２】
近年、携帯電話、スマートフォン、ノートパソコン等の携帯端末を用いて無線で情報を取得する光通信システムが広く普及している。例えば、特許文献１の光通信システムでは、情報を搬送するダウンリンク信号光を、照明装置としてのマルチビーム送信機から照射し、このダウンリンク信号光を携帯端末で受光し、ダウンリンク信号光により搬送された情報を取得している。
【０００３】
特許文献１の光通信システムでは、マルチビーム送信機は、複数のビーム光源を備え、複数のビーム光源を所定パターンで点滅させることで、情報を搬送するダウンリンク信号光を照射させている。このため、マルチビーム送信機には、複数のビーム光源の駆動を制御する制御部が必要となる。また、複数のビーム光源を異なるパターンで点滅させることにより、種類（搬送する情報）の異なるダウンリンク信号光を照射している。
【０００４】
また、特許文献２の商取引方法では、自動販売機で商品を購入する場合、ユーザは、自動販売機の店舗ＩＤ、自分の暗証番号、決済方法、商品の購入金額を携帯電話機で入力して認証サーバに送る。認証サーバで決済が認証された場合、２次元コードで構成されたＱＲ決済証明鍵が携帯電話機に送られる。このＱＲ決済証明鍵を携帯電話機の表示部に表示して、自動販売機のＱＲコード（登録商標）読取装置で読み取らせて情報を取得させることで、商品を購入することができるようになる。
【先行技術文献】
【特許文献】
【０００５】
【特許文献１】特開２００３−０６９５０７号公報
【特許文献２】国際公開第２００２／０８９８１号
【発明の概要】
【発明が解決しようとする課題】
【０００６】
特許文献１の光通信システムでは、複数のビーム光源自体は、一般的に演色性が同じ光を照射するものである。このため、種類の異なるダウンリンク信号光を照射するには、複数のビーム光源を異なるパターンで点滅させるように制御する必要があり、制御部での制御が複雑となる。
【０００７】
また、特許文献２の商取引方法のようにＱＲコードを用いて情報を取得する方法では、ＱＲコードと読取装置とを近付ける必要があり、ＱＲコードを読み取り可能な近距離に制限されている。
【０００８】
本発明は、このような事情に鑑みてなされたものであり、種類としての演色性が異なる複数の光を容易に照射することができ、且つ情報読み取りのための距離が制限されない光を照射することができる照明装置及びこれを用いたネットワークシステムを提供することを目的とする。
【課題を解決するための手段】
【０００９】
本発明の照明装置は、演色性の異なる白色光を照射する複数のＬＥＤと、前記複数のＬＥＤの発光を個別に制御する制御手段と、を備えることを特徴とする。
【００１０】
本発明の照明装置によれば、演色性の異なる白色光を照射する複数のＬＥＤを備えるので、駆動するＬＥＤを個別に制御するだけで、演色性の異なる白色光を照射することができる。また、情報読み取りのための距離が制限されない光を照射することができる。
【００１１】
本発明において、前記複数のＬＥＤは、それぞれ青色又は赤色の波長がピークとなる白色光を照射することが好ましい。
【００１２】
本発明のネットワークシステムは、上記の照明装置と、前記ＬＥＤ照明装置から照射された白色光の波形を検出する検出手段、外部機器と通信する第１通信手段、及びデータを表示する表示手段を備える通信機器と、前記第１通信手段と通信する第２通信手段、前記通信機器から送られる前記検出手段での検出波形に基づいて白色光の種類を判別する判別手段、演色性の異なる複数種類の白色光の各々に対応した複数の表示用データを記憶した記憶手段、及び前記複数の表示用データの中から前記判別手段での判別結果に応じた表示用データを検索するデータ検索手段を有し、前記データ検索手段で検索された表示用データを前記通信機器に送信するサーバと、を備えることを特徴とする。
【００１３】
本発明のネットワークシステムによれば、照明装置から照射された白色光を通信機器で検出して、サーバで白色光の種類を判別し、この判別結果に応じた表示データを携帯端末で表示するので、照明装置から照射される白色光の種類を変えることにより、容易に複数の表示データを携帯端末に表示することができる。また、通信機器の検出手段は、白色光の波形を検出し、検出した波形に基づいて白色光の種類をサーバで判別するので、ピーク波長に基づいて種類を判別するものに比べて、確実に判別することができる。
【図面の簡単な説明】
【００１４】
【図１】本実施形態のネットワークシステムを示す概略斜視図。
【図２】ネットワークシステムを示す概略平面図。
【図３】Ａは第１〜第６選択スイッチが全てオフ状態のＬＥＤ照明装置の構成、Ｂは第１選択スイッチのみオン状態のＬＥＤ照明装置の構成を示すブロック図。
【図４】第１白色光の波形を示すグラフ。
【図５】第２白色光の波形を示すグラフ。
【図６】第３白色光の波形を示すグラフ。
【図７】第４白色光の波形を示すグラフ。
【図８】第５白色光の波形を示すグラフ。
【図９】第６白色光の波形を示すグラフ。
【図１０】携帯端末の構成を示すブロック図。
【図１１】サーバに記憶された絵画紹介データを示す説明図。
【図１２】ＡはＩＤ１の絵画紹介データを携帯端末のタッチパネルに表示した状態、ＢはＩＤ２の絵画紹介データを携帯端末のタッチパネルに表示した状態を示す正面図。
【図１３】絵画の位置変更に対応して駆動するＬＥＤを切り換えた状態のネットワークシステムを示す概略図。
【図１４】第７白色光の波形を示すグラフ。
【図１５】第８白色光の波形を示すグラフ。
【図１６】第９白色光の波形を示すグラフ。
【発明を実施するための形態】
【００１５】
図１及び図２に示すように、ネットワークシステム２は、携帯端末３と、サーバ４と、第１〜第６ＬＥＤ照明装置１１〜１６とを備える。携帯端末３は、通信可能な端末であり、例えばスマートフォンから構成されている。携帯端末３は、インターネット等の通信ネットワーク６を介してサーバ４に無線接続されている。サーバ４には、通信部７、ＣＰＵ８、及び各種データが記憶されたメモリ９が設けられている。なお、図１及び図２では、第１〜第６ＬＥＤ照明装置１１〜１６を拡大して表示している。
【００１６】
第１ＬＥＤ照明装置１１は、例えば、美術館に展示される第１の絵画２１の近くに配置されており、第１の絵画２１を鑑賞する鑑賞者に向けて光を照射する。第２ＬＥＤ照明装置１２は、美術館に展示される第２の絵画２２の近くに配置されており、第２の絵画２２を鑑賞する鑑賞者に向けて光を照射する。同様にして、第３〜第６ＬＥＤ照明装置１３〜１６は、第３〜第６の絵画２３〜２６の近くに配置されている。なお、図１では、第１，第２ＬＥＤ照明装置１１，１２、及び第１，第２の絵画２１，２２のみを図示している。また、各ＬＥＤ照明装置１１〜１６を、各絵画２１〜２６に向けて光を照射するようにしてもよい。
【００１７】
第３〜第６ＬＥＤ照明装置１３〜１６、及び第３〜第６の絵画２３〜２６は、第１，第２ＬＥＤ照明装置１１，１２、及び第１，第２の絵画２１，２２から離れた位置に配置されているが、図２では、簡略的に近くに図示している。
【００１８】
第１ＬＥＤ照明装置１１は、本体ケース３０と、本体ケース３０の前面に設けられ、それぞれ演色性の異なる白色光を照射する第１ＬＥＤ３１、第２ＬＥＤ３２、第３ＬＥＤ３３、第４ＬＥＤ３４、第５ＬＥＤ３５、及び第６ＬＥＤ３６とを備える。本体ケース３０には、側方からの光が各ＬＥＤ３１〜３６に入光するのを防ぐための四角筒状のシェイド３０ａが設けられている。なお、図２では、シェイド３０ａの図示を省略している。また、本体ケース３０の後面には、放熱用のヒートシンク（図示せず）が取り付けられている。
【００１９】
図３Ａに示すように、第１ＬＥＤ照明装置１１は、第１〜第６ＬＥＤ３１〜３６が接続される第１〜第６選択スイッチ４１〜４６と、各選択スイッチ４１〜４６を制御して各ＬＥＤ３１〜３６のオン／オフを制御するＬＥＤ選択回路４７とを備える。
【００２０】
第１ＬＥＤ照明装置１１は、各選択スイッチ４１〜４６を介して各ＬＥＤ３１〜３６に電力を供給するＬＥＤ電源４８と、駆動するＬＥＤを切り換える切換スイッチ４９とを備える。ＬＥＤ電源４８は、美術館に設けられた電源５０に接続されている。
【００２１】
第２〜第６ＬＥＤ照明装置１２〜１６は、第１ＬＥＤ照明装置１１と同様に、本体ケース３０と、第１〜第６ＬＥＤ３１〜３６と、第１〜第６選択スイッチ４１〜４６と、ＬＥＤ選択回路４７と、ＬＥＤ電源４８と、切換スイッチ４９とを備える。なお、第１〜第６ＬＥＤ照明装置１１〜１６は、メモリ（図示せず）を備える。
【００２２】
切換スイッチ４９を操作すると、ＬＥＤ選択回路４７に切換信号が入力される。ＬＥＤ選択回路４７は、切換信号が入力されると、第１〜第６選択スイッチ４１〜４６を制御して、第１〜第６ＬＥＤ３１〜３６のオン／オフを切り換える。
【００２３】
図３Ａに示すように、ＬＥＤ選択回路４７は、電源スイッチ（図示せず）により各ＬＥＤ照明装置１１〜１６の電源がオンされると、第１〜第６選択スイッチ４１〜４６の全てをオフにして、第１〜第６ＬＥＤ３１〜３６の全てを消灯した状態とする。この状態で切換スイッチ４９が操作されて、切換信号が入力されると、図３Ｂに示すように、ＬＥＤ選択回路４７は、第１選択スイッチ４１のみをオンする。これにより、電源５０から供給された電力が、ＬＥＤ電源４８、第１選択スイッチ４１を介して第１ＬＥＤ３１にのみ供給され、第１ＬＥＤ３１のみ点灯する。
【００２４】
第１ＬＥＤ３１のみ点灯している状態で切換スイッチ４９が操作されて、切換信号が入力されると、ＬＥＤ選択回路４７は、第１選択スイッチ４１をオフし、第２選択スイッチ４２のみをオンして第２ＬＥＤ３２のみを点灯する。以降は、切換信号が入力される毎に、ＬＥＤ選択回路４７は、第３ＬＥＤ３３のみを点灯、第４ＬＥＤ３４のみを点灯、第５ＬＥＤ３５のみを点灯、第６ＬＥＤ３６のみを点灯、第１〜第６ＬＥＤ３１〜３６の全てを消灯の順に、第１〜第６選択スイッチ４１〜４６の駆動を切り換える。なお、切換スイッチ４９は、保護カバー（図示せず）により保護されており、美術館の管理者のみ操作可能となっている。
【００２５】
第１ＬＥＤ３１は、図４に示すような波形の第１白色光５１を照射する。この第１白色光５１は、６６３ｎｍの赤色の光がピークとなり、演色性Ｒａが４４、ケルビン数（色温度）が６２００Ｋとなる。
【００２６】
第２ＬＥＤ３２は、図５に示すような波形の第２白色光５２を照射する。この第２白色光５２は、６３４ｎｍの赤色の光がピークとなり、演色性Ｒａが５０、ケルビン数が１００００Ｋとなる。
【００２７】
第３ＬＥＤ３３は、図６に示すような波形の第３白色光５３を照射する。この第３白色光５３は、４４５ｎｍの青色の光がピークとなり、演色性Ｒａが７０、ケルビン数が５２００Ｋとなる。
【００２８】
第４ＬＥＤ３４は、図７に示すような波形の第４白色光５４を照射する。この第４白色光５４は、４４９ｎｍの青色の光がピークとなり、演色性Ｒａが８５、ケルビン数が６２００Ｋとなる。
【００２９】
第５ＬＥＤ３５は、図８に示すような波形の第５白色光５５を照射する。この第５白色光５５は、４４８ｎｍの青色の光がピークとなり、演色性Ｒａが８９、ケルビン数が４３００Ｋとなる。
【００３０】
第６ＬＥＤ３６は、図９に示すような波形の第６白色光５６を照射する。この第６白色光５６は、４４７ｎｍの青色の光がピークとなり、演色性Ｒａが９４、ケルビン数が５５００Ｋとなる。なお、図４〜図９に示す第１〜第６白色光５１〜５６は、大塚電子株式会社製の分光光度計を用いて測定した。
【００３１】
本実施形態では、第１の絵画２１の近くに配置された第１ＬＥＤ照明装置１１では、第１ＬＥＤ３１から第１白色光５１が照射され、第２の絵画２２の近くに配置された第２ＬＥＤ照明装置１２では、第２ＬＥＤ３２から第２白色光５２が照射されるようにセットされている（図１参照）。また、第３ＬＥＤ照明装置１３では、第３ＬＥＤ３３から第３白色光５３が照射され、第４ＬＥＤ照明装置１４では、第４ＬＥＤ３４から第４白色光５４が照射され、第５ＬＥＤ照明装置１５では、第５ＬＥＤ３５から第５白色光５５が照射され、第６ＬＥＤ照明装置１６では、第６ＬＥＤ３６から第６白色光５６が照射されるようにセットされている。
【００３２】
図１０に示すように、携帯端末３は、通信部６１と、タッチパネル６２と、レンズ６３と、分光器６４と、ＣＰＵ６５とを備える。タッチパネル６２は、携帯端末３の前面に設けられ、レンズ６３は後面に設けられている。また、携帯端末３には、ＣＣＤ等の撮像素子を有する撮像部（図示せず）が設けられている。
【００３３】
携帯端末３は、待機モードと、電話モードと、インターネットモードと、光の波形を検出する光波形検出モードとに切り換え可能になっている。各モードの切り換えは、タッチパネル６２を操作することで行われる。インターネットモードは、携帯端末３の通信部６１と、サーバ４の通信部７とを通信ネットワーク６を介して接続する。
【００３４】
携帯端末３が光波形検出モードに切り換えられると、分光器６４は、レンズ６３を介して入射した光の波形を検出する。ユーザは、波形を検出したい光がレンズ６３に入射するように携帯端末３をセットする。本実施形態では、分光器６４は、第１の絵画２１の近くに配置された第１ＬＥＤ照明装置１１の第１ＬＥＤ３１から照射された第１白色光５１の波形を検出する。
【００３５】
ユーザは、波形を検出した場合、通信ネットワーク６を介して携帯端末３をサーバ４に接続する。携帯端末３は、検出波形データ（第１白色光５１の検出波形データ）を、通信部６１、通信ネットワーク６を介してサーバ４の通信部７に送る。
【００３６】
サーバ４のＣＰＵ８は、入力された検出波形データと、メモリ９に記憶された検索用波形データとを比較して、検出波形データと一致する検索用波形データを検索する。メモリ９には、第１〜第６白色光５１〜５６と同じ波形の６個の検索用波形データが記憶されている。各検索用波形データには、各々ＩＤ（ＩＤ１〜ＩＤ６）が付けられている。なお、一致とは、完全に一致だけではなく、ほぼ一致も含み、同じとは、完全に同じだけではなく、ほぼ同じも含む。
【００３７】
サーバ４のＣＰＵ８は、メモリ９に記憶された各種のデータの中から、一致した検索用波形データのＩＤ（ＩＤ１）に応じた絵画紹介データを検索する。図１１に示すように、メモリ９には、ＩＤ１〜ＩＤ６の各々に対応した絵画紹介データが記憶されている。例えば、ＩＤ１に対応した絵画紹介データは、「作者：Ａ山Ｂ男（1900〜1970）、作年度：1940、タイトル：郷」となっている。ＣＰＵ８は、ＩＤ１に対応した絵画紹介データを、通信部７、通信ネットワーク６を介して携帯端末３の通信部６１に送る。
【００３８】
図１２Ａに示すように、携帯端末３のＣＰＵ６５は、通信部６１で受信した絵画紹介データ（「作者：Ａ山Ｂ男（1900〜1970）、作年度：1940、タイトル：郷」）をタッチパネル６２に表示する。
【００３９】
また、携帯端末３の分光器６４により、第２の絵画２２の近くに配置された第２ＬＥＤ照明装置１２の第２ＬＥＤ３２から照射された第２白色光５２の波形を検出すると、第２白色光５２の検出波形データを、通信部６１、通信ネットワーク６を介してサーバ４の通信部７に送る。サーバ４のＣＰＵ８は、メモリ９に記憶された各種のデータの中から、第２白色光５２の検出波形データと一致する検索用波形データを検索する。
【００４０】
サーバ４のＣＰＵ８は、一致する検索用波形データのＩＤ（ＩＤ２）に応じた絵画紹介データ（「作者：Ｃ川Ｄ介（1910〜1975）、作年度：1950、タイトル：花」）を、携帯端末３に送る。図１２Ｂに示すように、携帯端末３のＣＰＵ６５は、受信した絵画紹介データをタッチパネル６２に表示する。
【００４１】
同様にして、第３〜第６ＬＥＤ３３〜３６から照射された第３〜第６白色光５３〜５６の波形を検出すると、ＩＤ３〜ＩＤ６が検索され、ＩＤ３〜ＩＤ６に応じた絵画紹介データがタッチパネル６２に表示される。なお、サーバ４から携帯端末３に送るデータは、絵画紹介データに限らず、例えば、絵画に関する情報が記載されたウェブサイトのＵＲＬデータを送るようにしてもよい。
【００４２】
第３〜第６白色光５３〜５６は、ピークとなる波長は似ているが、全体の波形は異なる。本実施形態では、各白色光５１〜５６の波形を検出しているので、いずれの白色光であるかを容易に識別することができる。
【００４３】
図１３に示すように、美術館に展示される絵画は、展示する位置が変わることがある。例えば、第１の絵画２１と、第２の絵画２２との展示位置を変えた場合、第１の絵画２１の近くには、第２ＬＥＤ照明装置１２が配置され、第２ＬＥＤ３２から第２白色光５２が照射されることとなる。第２白色光５２は、一致する検索用波形データのＩＤはＩＤ２であり、絵画紹介データは、「作者：Ｃ川Ｄ介（1910〜1975）、作年度：1950、タイトル：花」となる。この場合、第１の絵画２１とは異なる絵画紹介データが携帯端末３に表示されるという問題が発生する。
【００４４】
上記問題を解決するために、第１の絵画２１の近くに配置された第２ＬＥＤ照明装置１２の切換スイッチ４９を操作して、第１ＬＥＤ３１から第１白色光５１を照射するように切り換える。同様に、第２の絵画２２の近くに配置された第１ＬＥＤ照明装置１１の切換スイッチ４９を操作して、第２ＬＥＤ３２から第２白色光５２を照射するように切り換える。
【００４５】
従来のＱＲコードを読み取ることにより絵画紹介データを表示するものでは、展示する絵画が変わった場合、ＱＲコードを変更する、又は、サーバ４の絵画紹介データを変更する必要があり、手間がかかる。また、従来の所定パターンでＬＥＤを点灯・消灯させることで、所定の情報を搬送する信号光を照射するものでは、展示する絵画が変わった場合、ＬＥＤの点灯・消灯パターンを変更する必要があり、照明装置の制御部での制御が複雑となる。さらに、複数のＬＥＤ点灯・消灯パターンを照明装置のメモリに記憶しておく必要があり、容量の大きいメモリが必要となる。
【００４６】
本実施形態では、第１〜第６ＬＥＤ照明装置１１〜１６は、演色性の異なる白色光を照射する第１〜第６ＬＥＤ３１〜３６を備えているので、駆動するＬＥＤを切り換えるだけで、照射する白色光の種類を容易に切り換えることができる。また、ＬＥＤの点灯・消灯パターンプログラムを照明装置のメモリに記憶させておく必要もないので、メモリの容量を小さくすることができる。
【００４７】
このように、第１〜第６ＬＥＤ照明装置１１〜１６自体を交換することなく、第１〜第６ＬＥＤ照明装置１１〜１６から照射する白色光の種類を切り換えることができる。また、サーバ４のデータを変更することなく、展示されている絵画に対応した絵画紹介データを携帯端末３で表示することができる。
【００４８】
さらに、ＬＥＤから照射される白色光の波形を携帯端末で検出し、検出波形に基づいて情報を取得するので、白色光の届く範囲であれば情報を取得することができる。これにより、ＱＲコードの読み取りのように近距離でしか行うことができないものに比べて、遠距離での情報取得を行うことができる。例えば、高層ビルの屋上に設けた照明装置から地上に届く白色光を照射する場合、屋上からの白色光を地上で受光して波形を検出し、情報を取得することができる。
【００４９】
なお、上記実施形態では、第１〜第６ＬＥＤ３１〜３６を設けているが、ＬＥＤの数は適宜変更可能であり、照射する白色光の演色性及び波形も適宜変更可能である。
【００５０】
また、図１４に示すように、第３ＬＥＤ３３から第３白色光５３を照射させ、且つ第５ＬＥＤ３５から第５白色光５５を照射させることで、これらがミックスされた第７白色光５７を照射させるようにしてもよい。同様に、図１５に示すように、第１，第３，第４ＬＥＤ３１，３３，３４から第１，第３，第４白色光５１，５３，５４を照射させることで、これらがミックスされた第８白色光５８を照射させてもよく、図１６に示すように、第２，第３，第５，第６ＬＥＤ３２，３３，３５，３６から第２，第３，第５，第６白色光５２，５３，５５，５６を照射させることで、これらがミックスされた第９白色光５９を照射させてもよい。第１〜第６白色光５１〜５６の組合せにより、第１〜第６白色光５１〜５６を含む６３種類の波形及び演色性の異なる白色光を照射することができる。これにより、例えば美術館であれば、６３個の美術品まで１種類のＬＥＤ照明装置で対応することができる。
【００５１】
上記実施形態では、美術館にＬＥＤ照明装置を配置しているが、これに限定されることなく、例えば、複数の建築物の各々の近傍にＬＥＤ照明装置を配置し、建築物の情報を取得して表示させるようにしてもよい。この場合、例えば、曜日毎に駆動するＬＥＤを切り換えることで、同じ建築物でも曜日毎に異なる情報を表示させるようにしてもよい。
【００５２】
また、街並み等の景観の情報を取得して表示させるようにしてもよい。この場合、街並みの入口にＬＥＤ照明装置を配置し、街並みの景観が変わる場所にもＬＥＤ照明装置を配置する。さらに、情報を取得する対象物から離れた位置に、ＬＥＤ照明装置を配置してもよい。
【００５３】
上記実施形態では、操作スイッチにより駆動するＬＥＤを切り換えているが、操作スイッチに代えて、駆動するＬＥＤを入力する操作パネル等の操作手段を設けるようにしてもよい。上記した第１〜第６白色光をミックスして６３種類の波形の異なる白色光を照射させる場合には、操作パネルを設けることが好ましい。
【００５４】
上記実施形態では、携帯端末の分光器により白色光の波形を検出しているが、撮像部のホワイトバランス機能により、白色光の種類（波形）を検出するようにしてもよい。また、白色光の種類判別は、携帯端末上で行うようにしてもよい。
【符号の説明】
【００５５】
２…ネットワークシステム、 ３…携帯端末、４…サーバ、 ６…インターネット、 ７…通信部、８…ＣＰＵ、 ９…メモリ、 １１〜１６…第１〜第６ＬＥＤ照明装置、２１〜２６…第１〜第６の絵画、 ３１〜３６…第１〜第６ＬＥＤ、４１〜４６…第１〜第６選択スイッチ、 ４７…ＬＥＤ選択回路、４８…ＬＥＤ電源、 ４９…切換スイッチ、 ５０…電源、５１〜５９…第１〜第９白色光、 ６１…通信部、６２…タッチパネル、 ６３…レンズ、 ６４…分光器、６５…ＣＰＵ
【図１】
2017010801.tif 000003
【図２】
2017010801.tif 000004
【図３】
2017010801.tif 000005
【図４】
2017010801.tif 000006
【図５】
2017010801.tif 000007
【図６】
2017010801.tif 000008
【図７】
2017010801.tif 000009
【図８】
2017010801.tif 000010
【図９】
2017010801.tif 000011
【図１０】
2017010801.tif 000012
【図１１】
2017010801.tif 000013
【図１２】
2017010801.tif 000014
【図１３】
2017010801.tif 000015
【図１４】
2017010801.tif 000016
【図１５】
2017010801.tif 000017
【図１６】
2017010801.tif 000018